(57)【要約】【課題】カード物を取り付ける立てを紙板材にて作成して構成を簡易化するととともに、折り畳みして不使用時の形態が薄形のものとなるようにし、取り扱いが容易で不使用時にはコンパクトとなる立てを低コストに得る。【解決手段】第一上面板４に折り部５を介して第一底面板６を連接した外側紙２と、前記第一上面板４に折り部１０を介して連接した第二上面板７に折り部８を介して第二底面板９を連接した内側紙３とを備え、外側紙２と内側紙３とを重ねて二つ折り可能とし、第二上面板７に、カード物Ａを保持する保持片１２を設け、立ち起こされた第一上面板４と第二上面板７との間を開いたときの第二底面板９を保持する保持片１４を、第一底面板６に設けて、保持片１４にて第二上面板７の起立状態を維持する構成とした。【選択図】　　図１
2004073323.tif 000002
【特許請求の範囲】
【請求項１】
第一上面板とこの第一上面板の下辺に折り部を介して連接した第一底面板とからなる外側紙と、前記第一上面板の上辺に折り部を介して連接した第二上面板とこの第二上面板の下辺に折り部を介して連接した第二底面板とからなる内側紙とを備え、外側紙と内側紙とが重ね合わされて内側紙を内方にした状態で二つ折り可能に設けられ、前記第二上面板の少なくとも一方に、写真などのカード物を着脱可能に保持する保持片が切り込み形成され、立ち起こされた第一上面板と第二上面板との間を開いたときの第二底面板を保持する保持片が、前記第一底面板に切り込み形成され、該保持片による第二底面板の保持により第二上面板の起立状態を維持する構成としたことを特徴とする折り畳み立て。
【請求項２】
外側紙と内側紙との第一上面板を起こして見開いた時に立ち起きる鳥居形状部を前記内側紙に切り込み形成し、立ち起きた前記鳥居形状部の背部となる第二上面板に、礼拝対象となるカード物がこの第二上面板にある上記保持片に保持されている請求項１に記載の折り畳み立て。
【発明の詳細な説明】
【０００１】
【発明の属する技術分野】
本発明は折り畳み立てに関するものである。
【０００２】
【発明が解決しようとする課題】
従来からブロマイドや家族写真などのカード物を手近な場所で常時見えるようにしておくには額がセットされた台板の背面に支脚を折り倒し可能に連結し、その支脚の支えによって若干後傾斜した状態となるようにしたホルダーが用いられている。
しかしながら、このような立て置き型とするカード物のホルダーでは、部品点数が多いために作成に手間を要して製作コストが高くなっており、また、不使用時に支脚を折り倒したとしても額部材の厚さなどにより全体的に厚みが大きく嵩張り易く、携帯にも不向きであるという問題がある。
そこで本発明は上記事情に鑑み、カード物を取り付ける立てを紙板材にて作成して構成を簡易化するととともに、折り畳みして不使用時の形態が薄形のものとなるようにすることを課題とし、取り扱いが容易で不使用時にはコンパクトとなる立てを低コストに得ることを目的とするものである。
【０００３】
【課題を解決するための手段】
本発明は上記課題を考慮してなされたもので、第一上面板とこの第一上面板の下辺に折り部を介して連接した第一底面板とからなる外側紙と、前記第一上面板の上辺に折り部を介して連接した第二上面板とこの第二上面板の下辺に折り部を介して連接した第二底面板とからなる内側紙とを備え、外側紙と内側紙とが重ね合わされて内側紙を内方にした状態で二つ折り可能に設けられ、前記第二上面板の少なくとも一方に、写真などのカード物を着脱可能に保持する保持片が切り込み形成され、立ち起こされた第一上面板と第二上面板との間を開いたときの第二底面板を保持する保持片が、前記第一底面板に切り込み形成され、該保持片による第二底面板の保持により第二上面板の起立状態を維持する構成としたことを特徴とする折り畳み立てを提供して、上記課題を解消するものである。
本発明において、外側紙と内側紙との第一上面板を起こして見開いた時に立ち起きる鳥居形状部を前記内側紙に切り込み形成し、立ち起きた前記鳥居形状部の背部となる第二上面板に、礼拝対象となるカード物がこの第二上面板にある上記保持片に保持されているものとすることが可能である。
【０００４】
【発明の実施の形態】
つぎに本発明を図１から図３に示す実施の形態に基づいて詳細に説明する。
図中１は折り畳み立てで、該折り畳み立て１はそれぞれ紙板材であって二つ折りできる外側紙２と内側紙３とを備えてなるものであり、内方に前記内側紙３が位置するようにして外側紙２と内側紙３とを重ね合わせたまま二つ折り状に偏平にして折り畳むことができるものである。そして、図１に示されているように前記外側紙２は第一上面板４とこの第一上面板４の下辺に折り部５を介して第一底面板６が連接し、前記内側紙３は第二上面板７とこの第二上面板７の下辺に折り部８を介して第二底面板９が連接している。また、外側紙２と内側紙３とにあっては、内側紙３の上辺に折り部１０を介して糊代片１１を外側紙２の第一上面板４に貼り付けていて、前記折り部１０を介して外側紙２と内側紙３とが連接する形態としている。なお、内側紙３は、折り部１０に直交した方向全体に亘って折り部１０に沿った方向での幅寸法が外側紙２での幅寸法より小さく設定されている。
【０００５】
内側紙３の第二上面板７には折り部１０の方向に対にして、また折り部１０に直交する方向に対にして配置された複数の保持片１２が切り込み形成により設けられていて、この複数の保持片１２によってカード物Ａが着脱可能に保持されている。なお、カード物Ａ自体はこの実施例において特に限定されるものではなくブロマイドや写真などの薄形のものであればよい。
そして、この折り畳み立て１にあっては上記第二上面板７を立ち起こしてカード物Ａを常時目視できるようにした工夫を備えている。図示するように上記外側紙２の第一底面板６には、その上面に位置している内側紙３の第二底面板９における折り部８と直交する辺１３に対応する位置それぞれに保持片１４が切り込み形成されている。図示されていているように対の保持片１４それぞれの下に前記第二底面板９の辺１３が差し入れられ、保持片１４がこの辺１３をスライド可能に保持していて、偏平に折り畳まれている状態から第一、第二上面板４，７を立ち起こすように折り畳み立て１を見開く場合、また、重なっている第一、第二上面板４，７を倒す場合には第二底面板９は第一底面板６に対してほどんど相対移動しないが、立ち起こされた第一上面板４と第二上面板７との間を開くように第二底面板９を第一底面板６に対して相対移動させることができ、前記保持片１４が第二底面板９の前記辺１３をスライド可能に保持して第二底面板９が折り部８と直交する方向に適切に移動するように案内する。
【０００６】
上述したように保持片１４が第二底面板９の辺１３をスライド可能に保持するため、立ち起こされた第一上面板４と第二上面板７との間が開いた状態のままとさせておくことができ、第二上面板９の立ち起こし角度を保つことができる。さらに、内側紙３を折り部８の位置で保持片１４に当接させることで第二底面板９の位置決めが行え、第二上面板７を予め設定された適切な立ち起こし角度に維持できる。そのため、この第二上面板７に取付けたカード物Ａが適切な角度で起きるようにすることが容易になる。この実施例では、第一底面板６を折り部５とは反対側の辺に近接した位置にも保持片１５が切り込み形成されており、第一上面板４と第二上面板７との間が開くように移動させた第二底面板９の折り部８とは反対側にある凸片１６を受けて第二底面板９の浮き上がりが生じないようにしている。
なお、図１に示すように第一上面板４と第二上面板７との間が開いて立ち起こされている状態からこの第一上面板４と第二上面板７との間を閉じるようにして第一上面板４と第二上面板７とを重ねれば、同時に第二底面板９も引き戻され、全体を容易に二つ折りした偏平形状にすることができる。
【０００７】
図３に示す利用形態では、内側紙３の折り部８から第二底面板９を上記実施の形態とは逆に外側紙２の折り部５に向けて折り返しており、この折り返された第二底面板９の辺１３を上記保持片１４が保持して第一上面板４と第二上面板７との間が開いて第二上面板７の立ち起こし状態を維持させることもできる。この利用形態とする場合、第一底面板６に重なっている第二底面板９を一旦、保持片１４から外してから逆方向に折り返し、そして保持片１４に保持させるようにすればよく、手数を要するものとはならない。
上記例としては第二上面板７にカード物Ａを取り付けることができるようにしたが、第一上面板４の外方面側にもカード物Ａを取り付けることができるように保持片１２の位置を設定することも可能である。
【０００８】
図４は他の実施の例を示している。この折り畳み立て１では、折り畳まれた偏平状態から見開いたときに立ち起こされる鳥居形状部１７を有していて、鳥居形状部１７は内側紙３に切り込み形成して予め第二底面板９側に折り返され、さらに第二上面板７側から連結片１８が鳥居形状部１７の基端側に連続し、見開き操作するときの第二上面板７の立ち起こしによる前記連結片１８の引き戻しによりこの鳥居形状部１７が立ち起こされるようにしている。
そして、立ち起きた鳥居形状部１７の背部となる第二上面板７に、お守りや神殿写真など礼拝対象としたカード物Ａが上記保持片１２に保持され、立ち起こされて共に立ち起こし状態が維持された鳥居形状物１７と前記カード物Ａとが一緒に目視できるようにしており、折り畳み立て全体を礼拝対象として容易に設置することができるものである。よって、これを折り畳んで偏平な形態とすれば携帯に容易な礼拝対象となり、いずれの場所に持ち運んでも礼拝が行えるものとなる。なお、この場合、内側紙３の第二底面板９を折り部８から逆折りする使用形態は無い。
【０００９】
【発明の効果】
以上説明したように本発明によれば、第一上面板とこの第一上面板の下辺に折り部を介して連接した第一底面板とからなる外側紙と、前記第一上面板の上辺に折り部を介して連接した第二上面板とこの第二上面板の下辺に折り部を介して連接した第二底面板とからなる内側紙とを備え、外側紙と内側紙とが重ね合わされて内側紙を内方にした状態で二つ折り可能に設けられ、前記第二上面板の少なくとも一方に、写真などのカード物を着脱可能に保持する保持片が切り込み形成され、立ち起こされた第一上面板と第二上面板との間を開いたときの第二底面板を保持する保持片が、前記第一底面板に切り込み形成され、該保持片による第二底面板の保持により第二上面板の起立状態を維持する構成としたことを特徴とするものであり、構成が簡単で安価に作成できるとともに、不使用ときには折り倒すことで偏平となって嵩張ることがなく、携帯に容易であるなど、実用性に優れた効果を奏するものである。
【図面の簡単な説明】
【図１】本発明に係る折り畳み立ての一例を示す説明図である。
【図２】一例における第一上面板と第二上面板とを重ね合わせて立ち起こした状態を示す説明図である。
【図３】内側紙の第二底面板を逆折りした状態の使用形態を示す説明図である。
【図４】他の例を示す説明図である。
【符号の説明】
１…折り畳み立て
２…外側紙
３…内側紙
４…第一上面板
５，８，１０…折り部
６…第一底面板
７…第二上面板
９…第二底面板
１２…保持片
１４…保持片
１５…保持片
１７…鳥居形状部
Ａ…カード物
【図１】
2004073323.tif 000003
【図２】
2004073323.tif 000004
【図３】
2004073323.tif 000005
【図４】
2004073323.tif 000006